(57)【特許請求の範囲】
【請求項１】
筐体と、
表示器と、
操作部と、
前記筐体内に収容され、測定対象のデータ伝送システムに対するデータの送受信を行う送受信モジュールと、
前記筐体内に設けられたＬＡＮ回線と、
前記筐体内で前記送受信モジュールおよび前記ＬＡＮ回線に接続され、前記ＬＡＮ回線を介して測定指示情報を受けて前記送受信モジュールを制御して前記データ伝送システムに対する測定を行い、その測定結果を前記ＬＡＮ回線へ出力する第１の制御部と、
前記筐体内で前記ＬＡＮ回線と接続され、前記操作部に対する操作に応じた測定指示情報を前記ＬＡＮ回線を介して前記第１の制御部に送り、該第１の制御部から前記ＬＡＮ回線に出力された測定結果の情報を受けて前記表示器に表示させる第２の制御部と、
前記筐体の外部から前記ＬＡＮ回線に接続するためのコネクタとを備えたデータ伝送システム測定装置。
【発明の詳細な説明】
【０００１】
【発明の属する技術分野】
本発明は、ネットワークやそれを構成する通信機器等のデータ伝送システムに対して各種の測定を行うための測定装置において、装置単体を大型化することなく、多チャネル測定を可能にするための技術に関する。
【０００２】
【従来の技術】
例えばルータやハブ等のように複数のポートを有するデータ伝送システムに対する測定を行うために、図６に示す構成の測定装置１０が用いられている。
【０００３】
この測定装置１０は、表示器１１、操作部１２、送受信モジュール１３および制御部１４によって構成されており、操作部１２の操作で指定された内容にしたがって制御部１４が送受信モジュール１３を制御して、その送受信モジュール１３のポート１３ａに接続された測定対象のデータ伝送システム１に対して測定のためのデータの送受信を行って、データ伝送システム１の特性を測定し、その測定結果を表示器１１に表示する。
【０００４】
このような構成の測定装置１０では、データ伝送システム１の複数のポートに対する測定を効率よく行うために、送受信モジュール１３が多チャネル化されている。
【０００５】
【発明が解決しようとする課題】
しかしながら、近年のネットワークの普及にともない測定対象となるデータ伝送システム１のポート数は飛躍的に増加しており、このようなデータ伝送システム１を測定する測定装置としても多ポート測定ができることが要求される。
【０００６】
この多ポート測定を実現するための方法として、図７に示す測定装置１０′のように、装置筐体内で制御部１４のバスラインに複数の送受信モジュール１３を接続できるように構成することが考えられる。
【０００７】
しかし、測定装置の可搬性が要求される場合には、測定装置自体の筐体の大きさが制限されるので、送受信モジュール１３を多数内蔵できるようにすることはできず、数個が限度となってしまい、測定対象のデータ伝送システム１のポート数が非常に多い場合に対処できなくなる。
【０００８】
これを解決する方法として、図８に示すように、測定装置１０′の制御部１４のバスラインに装置外部で接続される拡張ユニット１５を設けて、この拡張ユニット１５に送受信モジュール１３を装着する方法も考えられる。
【０００９】
しかし、このように増設用のバスラインを装置の外部に引き出して、送受信モシュール１３を増設する方法では、制御部１４との間での多本数の高速なデータの送受信を行う必要があり、接続が複雑となり、測定の信頼度が低下してしまう。
【００１０】
本発明は、この問題を解決して、装置単体を大型化することなく、データ伝送システムに対する多ポート測定を高い信頼度で行うことができる測定装置を提供することを目的としている。
【００１１】
【課題を解決するための手段】
前記目的を達成するために、本発明のデータ伝送システム測定装置は、
筐体と、
表示器と、
操作部と、
前記筐体内に収容され、測定対象のデータ伝送システムに対するデータの送受信を行う送受信モジュールと、
前記筐体内に設けられたＬＡＮ回線と、
前記筐体内で前記送受信モジュールおよび前記ＬＡＮ回線に接続され、前記ＬＡＮ回線を介して測定指示情報を受けて前記送受信モジュールを制御して前記データ伝送システムに対する測定を行い、その測定結果を前記ＬＡＮ回線へ出力する第１の制御部と、
前記筐体内で前記ＬＡＮ回線と接続され、前記操作部に対する操作に応じた測定指示情報を前記ＬＡＮ回線を介して前記第１の制御部に送り、該第１の制御部から前記ＬＡＮ回線に出力された測定結果の情報を受けて前記表示器に表示させる第２の制御部と、
前記筐体の外部から前記ＬＡＮ回線に接続するためのコネクタとを備えている。
【００１２】
【発明の実施の形態】
以下、図面に基づいて本発明の実施の形態を説明する。
図１は本発明を適用したデータ伝送システム測定装置２０（以下、測定装置２０と記す）の外観を示し、図２はその構成を示している。
【００１３】
図１に示しているように測定装置２０の筐体２１の正面２１ａには、表示器２２および操作部２３が設けられている。
【００１４】
また、筐体２１の一方の側面２１ｂには、後述する送受信モジュール２４のポート２４ａと、後述するＬＡＮ回線２５に外部から接続するためのコネクタ２７ａ、２７ｂが設けられている。
【００１５】
筐体２１の内部には、図２に示しているように測定対象のデータ伝送システム１に対するデータの送受信を行うための複数（例えば８）チャネルの送受信モジュール２４が設けられている。
【００１６】
送受信モジュール２４は、後述する第１の制御部２８のバス（ＰＣＩバス）にコネクタ（図示せず）を介して接続されており、所定数（例えば５個）まで増設することができる。
【００１７】
また、筐体２１の内部には、ＬＡＮ（ローカルエリアネットワーク）回線２５が形成されている。このＬＡＮ回線２５は、例えば４ポートのイーサネット（１００ＢＡＳＥ−ＴＸまたは１０ＢＡＳＥ−Ｔ）用のハブ（集線装置）２６を用いたスター型のものであり、その第１ポートは第１の制御部２８に接続され、第２ポートは第２の制御部３０に接続され、第３ポートおよび第４ポートは、コネクタ２７ａ、２７ｂにそれぞれ接続されている。
【００１８】
各送受信モジュール２４は第１の制御部２８によって制御される。第１の制御部２８は、ＣＰＵ２８ａ、ＲＯＭ２８ｂ、ＲＡＭ２８ｃ、ＰＣＩバスインタフェース２８ｄおよびＬＡＮ回線２５に接続するためのＬＡＮインタフェース２８ｅによって構成され、ＬＡＮ回線２５を介して受けた測定指示情報にしたがって送受信モジュール２４を制御してデータ伝送システム１に対するデータの送受信を行わせて測定を行い、その測定結果をＬＡＮ回線２５を介して測定を指示した定第２の制御部３０に通知する。
【００１９】
なお、この第１の制御部２８のＣＰＵ２８ａ、ＲＯＭ２８ｂ、ＲＡＭ２８ｃおよびＰＣＩバスインタフェース２８ｄは、送信用データの生成や受信データに基づく測定値の検出等の処理を、複数の送受信モジュール２４の全てのポートについて高速に行えるように専用化されている。
【００２０】
第２の制御部３０は、ＣＰＵ３０ａ、ＲＯＭ３０ｂ、ＲＡＭ３０ｃ、所定のオペーティングシステムと測定用アプリケーションプログラムが記憶されているＨＤＤ（ハードディスクドライブ）３０ｄ、ＨＤＤ用インタフェース３０ｅ、操作部２３のための操作部インタフェース３０ｆ、表示器２２を制御するための表示コントローラ３０ｇおよびＬＡＮ回線２５に接続するためのＬＡＮインタフェース３０ｈ等によって構成されており、装置起動時に、ＨＤＤ３０ｄに記憶されているオペレーティングシステムをＲＡＭ３０ｃにロードして実行し、さらにこのオペレーティングシステム上で測定用アプリケーションプログラムを実行して、操作部２３に対する操作に応じた測定指示情報（測定項目、測定に使用する送受信モジュールおよびポートの指定等）をＬＡＮ回線２５を介して第１の制御部２６に送り、第１の制御部２８からＬＡＮ回線２５に出力された測定結果の情報を受けて表示器２２に表示させる。
【００２１】
なお、第１の制御部２８および第２の制御部３０には、ＬＡＮ回線２５上での固有のアドレス（ＭＡＣアドレス）が予め設定されており、第１の制御部２８はＬＡＮ回線２５上に自己のアドレスＡＤ１が宛て先アドレスとして含まれているデータがあるときにはこれを選択的に取り込み、第２の制御部３０は、ＬＡＮ回線２５上に自己のアドレスＡＤ２が宛て先アドレスとして含まれているデータがあるときにはこれを選択的に取り込む。
【００２２】
このように構成された測定装置２０で、データ伝送システム１のポートのうち、この測定装置２０の送受信モジュール２４の全ポート数より少ない特定のポートに対する測定を行う場合、図３に示すようにデータ伝送システム１の特定のポートと送受信モジュール２４のポートとの間を接続し、操作部２３の操作により測定に使用する送受信モジュール２４およびポート２４ａを指定するとともにその測定項目や測定条件、測定結果の宛て先等を指定する。
【００２３】
これら指定した情報は測定指示情報として、第２の制御部３０からＬＡＮ回線２５を介して第１の制御部２８に通知される。
【００２４】
この測定指示情報を受けた第１の制御部２８は、指定された送受信モジュール２４のポートを用いてデータ伝送システム１に対し指定された内容の測定を行い、その測定結果をＬＡＮ回線２５を介して測定の指示を受けた第２の制御部３０へ順次出力する。
【００２５】
第１の制御部２８からの測定結果の情報を受けた第２の制御部３０は、この測定結果を表示器２２に表示する。
【００２６】
また、データ伝送システム１の測定対象のポート数が測定装置２０の送受信モジュール２４の全ポート数より多い場合には、図４に示すように、複数台（図では３台）の測定装置２０Ａ、２０Ｂ、２０Ｃを用意し、測定装置２０Ａのコネクタ２７ｂと測定装置２０Ｂのコネクタ２７ａとの間、測定装置２０Ｂのコネクタ２７ｂと測定装置２０Ｃのコネクタ２７ａとの間をイーサネット用のケーブル３１を介して接続する。
【００２７】
このように接続すると、各測定装置２０Ａ〜２０ＣのＬＡＮ回線２５Ａ〜２５Ｃが接続されて一つの共通なＬＡＮ回線が構成され、第１の制御部２８Ａ〜２８Ｃおよび第２の制御部３０Ａ〜３０Ｃは、その共通のＬＡＮ回線を介して接続され、これらの各制御部にそれぞれ割り当てられたアドレスを用いて任意の制御部間でデータの通信が安定に行える。
【００２８】
したがって、例えば測定装置２０Ａの操作部２３Ａに対する操作によって、各測定装置２０Ａ〜２０Ｃの第１の制御部２８Ａ〜２８Ｃに対して測定指示情報を通知して、データ伝送システム１の例えば全てのポートについての測定を行わせ、各制御部２８Ａ〜２８Ｃによる測定結果を測定装置２０Ａの第２の制御部３０Ａに通知させることができ、それらの測定結果を測定装置２０Ａの表示器２２Ａに表示させることができる。
【００２９】
また、各測定装置２０Ａ〜２０Ｃをそれぞれ異なる測定者が操作して、データ伝送システム１に対する測定を任意に行うような場合、例えばある測定者が操作しようとする測定装置２０Ａではポート数がたりないときに、他の測定者が操作する測定装置２０Ｂ、２０Ｃで使用していないポートがあれば、測定装置２０Ａから測定装置２０Ｂ、２０Ｃに測定指示情報を送り、測定装置２０Ｂ、２０Ｃの未使用ポートを指定して測定を行わせることができ、各測定装置２０Ａ〜２０Ｃのポートを複数の測定者が有効に利用することができる。
【００３０】
また、図５に示すように、測定装置２０Ａのコネクタ２６ａとパーソナルコンピュータ４０のＬＡＮ用のインタフェース（図示せず）との間をケーブル３１で接続し、パーソナルコンピュータ４０側で測定装置２０Ａ〜２０Ｃと同等のオペレーションシステムおよび測定用アプリケーションプログラムを実行することで、パーソナルコンピュータ４０によって複数の測定装置２０Ａ〜２０Ｃの各第１の制御部２８Ａ〜２８Ｃに対する測定指示情報を通知することができ、これらの測定結果をパーソナルコンピュータ４０側に通知させて、パーソナルコンピュータ４０のモニタに表示させることもでき、遠隔操作による測定が可能となる。
【００３１】
なお、このようにパーソナルコンピュータ４０によって測定装置２０を制御する場合、そのパーソナルコンピュータ４０のオペレーティングシステムが測定装置２０の第２の制御部３０のオペレーティングシステムと同一であれば、測定装置２０の測定用アプリケーションプログラムと同一のプログラムをパーソナルコンピュータ４０にインストールすればよく、メーカ側で新たな外部制御用のプログラムを作成する必要がない。
【００３２】
このように、実施形態の測定装置２０は、送受信モジュール２４を制御して測定を行う第１の制御部２８と、操作部２３に対する操作に応じた測定指示情報を第１の操作部２８に通知し、第１の操作部２８からの測定結果を表示器２２に表示させる第２の制御部３０との間をＬＡＮ回線２５で接続するとともに、筐体２１の外部からこのＬＡＮ回線２５に接続するためのコネクタ２７ａ、２７ｂを設けている。
【００３３】
このため、装置単体としての可搬性を犠牲にすることなく、また、複数台の測定装置２０のコネクタ間をＬＡＮ用のケーブルで接続することで、データ伝送システム１に対する多ポート測定を高い信頼度で行うことができる。
【００３４】
なお、前記した測定装置２０では、ハブ２６を用いたスター型のＬＡＮ回線２５によって第１の制御部２８、第２の制御部３０およびコネクタ２７ａ、２７ｂの間を接続していたが、バス型のＬＡＮ回線（１０ＢＡＳＥ５等）によって第１の制御部２８、第２の制御部３０およびコネクタ２７ａ、２７ｂの間を接続してもよい。また、ＬＡＮ回線２５として、イーサネット以外のプロトコル、例えばトークンリングを用いてもよい。
【００３５】
また、前記した測定装置２０では、ＬＡＮ回線２５に外部から接続するために２つのコネクタ２７ａ、２７ｂを設けていたが、測定装置の接続台数を２台までに限定する場合には、コネクタを１つにしてもよい。
【００３６】
また、前記した測定装置２０では、表示器２２と操作部２３が筐体２１の外表部に設けられていたが、表示器２２や操作部２３を筐体２１に対して外付けするように構成してもよい。
【００３７】
【発明の効果】
以上説明したように、本発明のデータ伝送システム測定装置は、
筐体と、
表示器と、
操作部と、
前記筐体内に収容され、測定対象のデータ伝送システムに対するデータの送受信を行う送受信モジュールと、
前記筐体内に設けられたＬＡＮ回線と、
前記筐体内で前記送受信モジュールおよび前記ＬＡＮ回線に接続され、前記ＬＡＮ回線を介して測定指示情報を受けて前記送受信モジュールを制御して前記データ伝送システムに対する測定を行い、その測定結果を前記ＬＡＮ回線へ出力する第１の制御部と、
前記筐体内で前記ＬＡＮ回線と接続され、前記操作部に対する操作に応じた測定指示情報を前記ＬＡＮ回線を介して前記第１の制御部に送り、該第１の制御部から前記ＬＡＮ回線に出力された測定結果の情報を受けて前記表示器に表示させる第２の制御部と、
前記筐体の外部から前記ＬＡＮ回線に接続するためのコネクタとを備えている。
【００３８】
このため、装置単体としては小型に構成することができて可搬性を犠牲にすることがなく、また、複数台の測定装置のコネクタ間をＬＡＮ用のケーブルで接続することでデータ伝送システムに対する多ポート測定を高い信頼度で行うことができる。
【図面の簡単な説明】
【図１】本発明の実施形態の外観図
【図２】実施形態の構成を示す図
【図３】単体で使用する場合の接続図
【図４】複数台で測定を行う場合の接続図
【図５】パーソナルコンピュータによって制御を行う場合の接続図
【図６】従来装置の構成を示す図
【図７】送受信モジュールを筐体内部で増設できる従来装置の構成を示す図
【図８】送受信モジュールを筐体外部で増設できる従来装置の構成を示す図
【符号の説明】
１  データ伝送システム
２０  測定装置
２１  筐体
２２  表示器
２３  操作部
２４  送受信モジュール
２５  ＬＡＮ回線
２６  ハブ
２７ａ、２７ｂ  コネクタ
２８  第１の制御部
２８ａ  ＣＰＵ
２８ｂ  ＲＯＭ
２８ｃ  ＲＡＭ
２８ｄ  ＰＣＩバスインタフェース
２８ｅ  ＬＡＮインタフェース
３０  第２の制御部
３０ａ  ＣＰＵ
３０ｂ  ＲＯＭ
３０ｃ  ＲＡＭ
３０ｄ  ＨＤＤ
３０ｅ  ＨＤＤインタフェース
３０ｆ  操作部インタフェース
３０ｇ  表示コントローラ
３０ｈ  ＬＡＮインタフェース
３１  ケーブル
４０  パーソナルコンピュータ
【図１】
0003554716.tif 000002
【図２】
0003554716.tif 000003
【図３】
0003554716.tif 000004
【図４】
0003554716.tif 000005
【図５】
0003554716.tif 000006
【図６】
0003554716.tif 000007
【図７】
0003554716.tif 000008
【図８】
0003554716.tif 000009